【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
指定手段により指定された撮影モードに対応する撮影条件に基づいて放射線撮影を制御する撮影制御手段と、
前記撮影条件に基づき得られる放射線画像を表示部に表示させる表示制御手段と、
前記指定手段により２つの撮影モードが順に続けて指定された場合に、後の撮影モードでの放射線撮影で得られる放射線画像を、先の撮影モードでの放射線撮影で得られた放射線画像を表示させていた表示条件に基づいて前記表示制御手段により表示させる第一の決定と、前記後の撮影モードに対応する表示条件に基づいて前記表示制御手段により表示させる第二の決定と、を行う決定手段と、を有し、
前記決定手段はさらに、前記先の撮影モード及び前記後の撮影モードの種類の組み合わせが第一の組み合わせである場合には前記後の撮影モードの放射線撮影で得られる放射線画像の表示条件を第一の表示条件とする決定を行い、前記先の撮影モード及び前記後の撮影モードの種類の組み合わせが前記第一の組み合わせとは異なる第二の組み合わせである場合には前記後の撮影モードの放射線撮影で得られる放射線画像の表示条件を前記第一の表示条件とは異なる第二の表示条件とする決定を行う
ことを特徴とする放射線撮影の制御装置。
【請求項２】
前記表示制御手段は、前記指定手段により前記２つの撮影モードのうち前記先の撮影モードが指定された場合に、当該先の指定モードでの放射線撮影で得られた第一の放射線画像を表示部に表示させ、該第一の放射線画像が表示された後に前記指定手段により前記後の撮影モードでの放射線撮影で得られる第二の放射線画像を前記表示部に表示させることを特徴とする請求項１に記載の制御装置。
【請求項３】
前記第一の組み合わせは、前記先の撮影モードが第一の撮影モードであり前記後の撮影モードが第二の撮影モードである場合であり、
前記第二の組み合わせは、前記先の撮影モードが前記第二の撮影モードであり前記後の撮影モードが前記第一の撮影モードである場合であることを特徴とする請求項１または２に記載の制御装置。
【請求項４】
前記第一の組み合わせは、前記先の撮影モードが静止画撮影モードであり前記後の撮影モードが透視撮影モードである場合であり、
前記第二の組み合わせは、前記先の撮影モードが透視撮影モードであり前記後の撮影モードが静止画撮影モードである場合であることを特徴とする請求項３に記載の制御装置。
【請求項５】
前記第一の組み合わせは、前記先の撮影モードが第一の撮影モードであり前記後の撮影モードが第二の撮影モードである場合であり、
前記第二の組み合わせは、前記先の撮影モードが第三の撮影モードであり前記後の撮影モードが前記第二の撮影モードである場合であることを特徴とする請求項１または２に記載の制御装置。
【請求項６】
前記第一の組み合わせは、前記先の撮影モードが静止画撮影モードであり前記後の撮影モードが透視撮影モードである場合であり、前記第二の組み合わせは、前記先の撮影モードがシネ撮影、ＤＡ、ＤＳＡのいずれかの撮影モードであり前記後の撮影モードが透視撮影モードである場合であることを特徴とする請求項５に記載の制御装置。
【請求項７】
前記決定手段は、前記先の撮影モードが静止画撮影モードであり、前記後の撮影モードが動画撮影モードである場合には、該動画撮影モードで撮影された放射線画像を前記静止画撮影モードに対応する表示条件で表示させるように決定する
ことを特徴とする請求項１に記載の制御装置。
【請求項８】
前記決定手段は、前記先の撮影モードが静止画撮影モードであり、前記後の撮影モードが透視撮影モードである場合には、該透視撮影モードで撮影された放射線画像を前記透視撮影モードに対応する表示条件で表示させるように決定する
ことを特徴とする請求項１に記載の制御装置。
【請求項９】
指定手段により指定された撮影モードに対応する撮影条件に基づいて放射線撮影を制御する撮影制御手段と、
前記撮影条件に基づき得られる放射線画像を表示部に表示させる表示制御手段と、
前記指定手段により２つの撮影モードが順に続けて指定された場合に、後の撮影モードでの放射線撮影で得られる放射線画像を、先の撮影モードでの放射線撮影で得られた放射線画像を表示させていた表示条件に基づいて前記表示制御手段により表示させる第一の決定と、前記後の撮影モードに対応する表示条件に基づいて前記表示制御手段により表示させる第二の決定と、を行う決定手段と、を有し、
前記決定手段はさらに、前記先の撮影モード及び前記後の撮影モードの種類の組み合わせが第一の組み合わせである場合には前記後の撮影モードの放射線撮影で得られる放射線画像の表示条件を第一の表示条件とする決定を行い、前記先の撮影モード及び前記後の撮影モードの種類の組み合わせが前記第一の組み合わせとは異なる第二の組み合わせである場合には前記後の撮影モードの放射線撮影で得られる放射線画像の表示条件を前記第一の表示条件とは異なる第二の表示条件とする決定を行う
ことを特徴とする放射線撮影の制御システム。
【請求項１０】
放射線撮影の制御装置における制御方法であって、
撮影制御手段が、指定手段により指定された撮影モードに対応する撮影条件に基づいて放射線撮影を制御する撮影制御工程と、
表示制御手段が、前記撮影条件に基づき得られる放射線画像を表示部に表示させる表示制御工程と、
決定手段が、前記指定手段により２つの撮影モードが順に続けて指定された場合に、後の撮影モードでの放射線撮影で得られる放射線画像を、先の撮影モードでの放射線撮影で得られた放射線画像を表示させていた表示条件に基づいて前記表示制御工程により表示させる第一の決定と、前記後の撮影モードに対応する表示条件に基づいて前記表示制御工程により表示させる第二の決定と、を行う決定工程と、を有し、
前記決定工程では、さらに、前記先の撮影モード及び前記後の撮影モードの種類の組み合わせが第一の組み合わせである場合には前記後の撮影モードの放射線撮影で得られる放射線画像の表示条件を第一の表示条件とする決定を行い、前記先の撮影モード及び前記後の撮影モードの種類の組み合わせが前記第一の組み合わせとは異なる第二の組み合わせである場合には前記後の撮影モードの放射線撮影で得られる放射線画像の表示条件を前記第一の表示条件とは異なる第二の表示条件とする決定を行う
ことを特徴とする制御方法。
【請求項１１】
請求項１０に記載の制御方法の各工程をコンピュータに実行させるためのプログラム。
【手続補正２】
【補正対象書類名】明細書
【補正対象項目名】００１０
【補正方法】変更
【補正の内容】
【００１０】
上記の目的を達成する本発明に係る放射線撮影の制御装置は、
指定手段により指定された撮影モードに対応する撮影条件に基づいて放射線撮影を制御する撮影制御手段と、
前記撮影条件に基づき得られる放射線画像を表示部に表示させる表示制御手段と、
前記指定手段により２つの撮影モードが順に続けて指定された場合に、後の撮影モードでの放射線撮影で得られる放射線画像を、先の撮影モードでの放射線撮影で得られた放射線画像を表示させていた表示条件に基づいて前記表示制御手段により表示させる第一の決定と、前記後の撮影モードに対応する表示条件に基づいて前記表示制御手段により表示させる第二の決定と、を行う決定手段と、を有し、
前記決定手段はさらに、前記先の撮影モード及び前記後の撮影モードの種類の組み合わせが第一の組み合わせである場合には前記後の撮影モードの放射線撮影で得られる放射線画像の表示条件を第一の表示条件とする決定を行い、前記先の撮影モード及び前記後の撮影モードの種類の組み合わせが前記第一の組み合わせとは異なる第二の組み合わせである場合には前記後の撮影モードの放射線撮影で得られる放射線画像の表示条件を前記第一の表示条件とは異なる第二の表示条件とする決定を行う
ことを特徴とする。
【手続補正３】
【補正対象書類名】明細書
【補正対象項目名】発明の名称
【補正方法】変更
【補正の内容】
【発明の名称】制御装置、制御システム、制御方法及びプログラム